【事件の表示】
　特願２０１３−１７２４１３「画像符号化装置，および画像復号装置」拒絶査定不服審判事件〔平成２５年１２月２６日出願公開，特開２０１３−２５８７５７〕について，次のとおり審決する。
【結　論】
　本件審判の請求は、成り立たない。
【理　由】
１　手続の経緯
　本願は，２００８年（平成２０年）６月２６日（優先権主張２００７年６月２９日　日本国，２００７年１０月１５日　日本国）を国際出願日とする出願である特願２００９−５２１５９９号の一部を平成２５年８月２２日に新たな出願としたものであって，その手続の経緯は，以下のとおりである。
　平成２６年　７月　２日付け：拒絶理由の通知
　平成２６年　９月　３日　　：手続補正
　平成２７年　１月２１日付け：拒絶理由（最後）の通知
　平成２７年　６月２９日付け：拒絶査定
　平成２７年　７月　７日　　：拒絶査定の謄本の送達
　平成２７年１０月　７日　　：拒絶査定不服審判の請求
２　平成２６年９月３日付け手続補正について
　平成２６年９月３日付けの手続補正（以下「本件補正」という。）は，以下の本件補正前の特許請求の範囲の記載を，後掲の本件補正後の特許請求の範囲の記載とするものである（下線は，出願人が示した補正箇所である。）。
（本件補正前）
「【請求項１】
　符号化データを復号し，復号画像を生成する画像復号装置であって，
　上記符号化データから，イントラ予測モード情報を含む符号化パラメータおよび予測残差データを復号する復号部と，
　上記符号化パラメータから，復号対象ブロックに関する複数のイントラ予測モードの候補のいずれかと当該復号対象ブロックのイントラ予測モードとが等しいか否かを示すフラグを取得し，
　上記フラグが等しいことを示す場合には，上記イントラ予測モードの候補のうち，どのイントラ予測モードを当該復号対象ブロックのイントラ予測モードに用いるかを指定する第１のイントラ予測モード選択情報を上記符号化パラメータからさらに取得し，
　上記フラグが等しくないことを示す場合には，上記イントラ予測モードの候補を除く残りのイントラ予測モードから，いずれのイントラ予測モードを当該復号対象ブロックに用いるかを示す第２のイントラ予測モード選択情報を上記符号化パラメータから取得するイントラ予測モード情報取得部と，
　取得された上記第１のイントラ予測モード選択情報あるいは上記第２のイントラ予測モード選択情報のいずれかにもとづいて，当該復号対象ブロックに関する上記イントラ予測モードを選択するイントラ予測モード情報選択部と，
　選択された上記イントラ予測モードにもとづいて，復号対象ブロックの予測画像を作成する予測画像生成部と，
　上記予測手段によって作成された予測画像と，上記符号化データを復号して得られる予測残差データとを加算することによって，復号対象ブロックの復号画像を生成する加算演算部と，
を備えていることを特徴とする画像復号装置。
【請求項２】
上記第１のイントラ予測モード選択情報が指定する上記イントラ予測モードは，上記復号対象ブロックの左または上に隣接して位置する復号済ブロックのイントラ予測モードを含むことを特徴とする請求項１に記載の画像復号装置。
【請求項３】
　入力画像を符号化する画像符号化装置であって，
　符号化対象ブロックに係る予測画像の生成に用いるイントラ予測モードの決定を行う決定部と，
　当該符号化対象ブロックの複数のイントラ予測モードの候補のいずれかと，決定された当該符号化対象ブロックのイントラ予測モードとが等しいか否かを示すフラグと，
　上記フラグが上記決定部によって決定された上記イントラ予測モードの候補のいずれかと当該符号化対象ブロックのイントラ予測モードとが等しい場合に，上記イントラ予測モードの候補のうち，どのイントラ予測モードを当該符号化対象ブロックのイントラ予測モードに用いるかを指定する第１のイントラ予測モード選択情報と，
　上記フラグが上記イントラ予測モードの候補のいずれとも当該符号化対象ブロックのイントラ予測モードが等しくない場合に，上記イントラ予測モードの候補を除く残りのイントラ予測モードから当該符号化対象ブロックの予測に用いるイントラ予測モードを示す第２のイントラ予測モード選択情報と，を生成するイントラ予測モード情報生成部と，
　イントラ予測モード情報に関する符号化パラメータとして，上記フラグ及び上記第１のイントラ予測モード選択情報または上記フラグ及び上記第２のイントラ予測モード選択情報を符号化する符号化部と，
を備えていることを特徴とする画像符号化装置。
【請求項４】
上記第１のイントラ予測モード選択情報が指定する上記イントラ予測モードは，上記符号化対象ブロックの左または上に隣接して位置する符号化済ブロックのイントラ予測モードを含むことを特徴とする請求項３に記載の画像符号化装置。」
（本件補正後）
「【請求項１】
　符号化データを復号し，復号画像を生成する画像復号装置であって，
　上記符号化データから，イントラ予測モード情報を含む符号化パラメータおよび予測残差データを復号する復号部と，
複数のイントラ予測モードの候補からなる複数の予測セットから，復号対象ブロックに用いる１つの予測セットを選択する予測セット選択部と，
　上記符号化パラメータから，
上記選択された予測セットに含まれる
　上記フラグが等しいことを示す場合には，上記
選択された予測セットに含まれる
　上記フラグが等しくないことを示す場合には，上記イントラ予測モードの候補を除く残りのイントラ予測モードから，いずれのイントラ予測モードを当該復号対象ブロックに用いるかを示す第２のイントラ予測モード選択情報を上記符号化パラメータから取得するイントラ予測モード情報取得部と，
　取得された上記第１のイントラ予測モード選択情報あるいは上記第２のイントラ予測モード選択情報のいずれかにもとづいて，当該復号対象ブロックに関する上記イントラ予測モードを選択するイントラ予測モード情報選択部と，
　選択された上記イントラ予測モードにもとづいて，復号対象ブロックの予測画像を作成する予測画像生成部と，
　上記
予測画像生成部
を備えていることを特徴とする画像復号装置。
【請求項２】
　上記第１のイントラ予測モード選択情報が指定する上記イントラ予測モードは，上記復号対象ブロックの左または上に隣接して位置する復号済ブロックのイントラ予測モードを含むことを特徴とする請求項１に記載の画像復号装置。
【請求項３】
上記予測画像生成部は，上記復号対象ブロックに隣接する復号済ブロックが左の位置である場合，該復号済ブロックの最右端画素を参照することを特徴とする請求項１に記載の画像復号装置。
【請求項４】
上記予測画像生成部は，上記復号対象ブロックに隣接する復号済ブロックが上の位置である場合，該復号済ブロックの最下端画素を参照することを特徴とする請求項１に記載の画像復号装置。
【請求項５】
上記予測画像生成部は，上記復号対象ブロックに隣接する復号済ブロックが左上の位置である場合，該復号済ブロックの最右下端画素を参照することを特徴とする請求項１に記載の画像復号装置。
【請求項６】
　入力画像を符号化する画像符号化装置であって，
　符号化対象ブロックに係る予測画像の生成に用いるイントラ予測モードの決定を行う決定部と，
複数のイントラ予測モードの候補からなる複数の予測セットから，当該符号化対象ブロックに用いる１つの予測セットを選択する予測セット選択部と，
　
上記選択された予測セットに含まれる複
　上記フラグが上記決定部によって決定された上記
選択された予測セットに含まれる
　上記フラグが上記イントラ予測モードの候補のいずれとも当該符号化対象ブロックのイントラ予測モードが等しくない場合に，上記イントラ予測モードの候補を除く残りのイントラ予測モードから当該符号化対象ブロックの予測に用いるイントラ予測モードを示す第２のイントラ予測モード選択情報と，を生成するイントラ予測モード情報生成部と，
　イントラ予測モード情報に関する符号化パラメータとして，上記フラグ及び上記第１のイントラ予測モード選択情報または上記フラグ及び上記第２のイントラ予測モード選択情報を符号化する符号化部と，
を備えていることを特徴とする画像符号化装置。
【請求項７】
　上記第１のイントラ予測モード選択情報が指定する上記イントラ予測モードは，上記符号化対象ブロックの左または上に隣接して位置する符号化済ブロックのイントラ予測モードを含むことを特徴とする請求項
６
３　原査定の理由の概要
　本件補正は，下記の点で願書に最初に添付した明細書，特許請求の範囲又は図面に記載した事項の範囲内においてしたものでないから，特許法第１７条の２第３項に規定する要件を満たしていない。
　　　　　　　　　　　　記
（１）請求項１について，本件補正により追加された以下のことは，当初明細書等に記載された事項の範囲内ではなく，本件補正は，新規事項を追加するものである。これらの点は，請求項６に対する補正についても同様である。
（Ａ）「フラグ」が，「上記選択された予測セットに含まれる複数のイントラ予測モードの候補のいずれかと当該復号対象ブロックのイントラ予測モードとが等しいか否かを示す」こと。
（Ｂ）「第１のイントラ予測モード選択情報」が，「上記選択された予測セットに含まれるイントラ予測モードの候補のうち，どのイントラ予測モードを当該復号対象ブロックのイントラ予測モードに用いるかを指定する」ものであること。
　ここで，上記（Ａ）に関し，出願人は，平成２７年３月２７日付け意見書において，段落【０３７２】の「probable_mode_flag」が「フラグ」に対応する旨を主張しているが，当該「probable_mode_flag」とは，予測モードの推定値と復号対象ブロックのイントラ予測モードとが等しいか否かを示すフラグであって，「上記選択された予測セットに含まれる複数のイントラ予測モードの候補のいずれかと当該復号対象ブロックのイントラ予測モードとが等しいか否かを示す」ものではない。
　また，上記（Ｂ）に関し，出願人は，同日付け意見書において，段落【０３９１】の「参照方向」が「第１のイントラ予測モード選択情報」に対応する旨を主張しているが，「参照方向」とは，例えば，段落【０３９２】の【表１９】や段落【０３９８】の【表２１】等に示されるように，複数のイントラ予測モードの候補のうち，どのイントラ予測モードを復号対象ブロックのイントラ予測モードに用いるかを指定するものであって，「上記選択された予測セットに含まれるイントラ予測モードの候補のうち，どのイントラ予測モードを当該復号対象ブロックのイントラ予測モードに用いるかを指定する」ものではない。
（２）請求項２には，「上記第１のイントラ予測モード選択情報が指定する上記イントラ予測モードは，上記復号対象ブロックの左または上に隣接して位置する復号済ブロックのイントラ予測モードを含む」と記載されている。
　そして，請求項２は，補正後の請求項１を引用している。
　しかし，「第１のイントラ予測モード選択情報」が，補正後の請求項１に記載のように，「上記選択された予測セットに含まれるイントラ予測モードの候補のうち，どのイントラ予測モードを当該復号対象ブロックのイントラ予測モードに用いるかを指定する」ものであり，かつ，請求項２に記載のように，「上記復号対象ブロックの左または上に隣接して位置する復号済ブロックのイントラ予測モード」を指定可能であるということは，当初明細書等に記載されていないことであり，本件補正は，新規事項を追加するものである。また，この点は，請求項７に対する補正についても同様である。
４　当審の判断
（１）本件補正後の請求項１，２，６，７
　原査定において，本件補正により新規事項が追加されていると判断された，本件補正後の特許請求の範囲の請求項１，２，６及び７について，説明のために，当審において，以下のように分説し，符号を付与した。以下，各段落を，段落（１Ａ），段落（１Ｂ）などと称することとする。
【請求項１】
（１Ａ）符号化データを復号し，復号画像を生成する画像復号装置であって，
　上記符号化データから，イントラ予測モード情報を含む符号化パラメータおよび予測残差データを復号する復号部と，
（１Ｂ）複数のイントラ予測モードの候補からなる複数の予測セットから，復号対象ブロックに用いる１つの予測セットを選択する予測セット選択部と，
（１Ｃ）上記符号化パラメータから，
上記選択された予測セットに含まれる
（１Ｄ）上記フラグが等しいことを示す場合には，上記
選択された予測セットに含まれる
（１Ｅ）上記フラグが等しくないことを示す場合には，上記イントラ予測モードの候補を除く残りのイントラ予測モードから，いずれのイントラ予測モードを当該復号対象ブロックに用いるかを示す第２のイントラ予測モード選択情報を上記符号化パラメータから取得するイントラ予測モード情報取得部と，
（１Ｆ）取得された上記第１のイントラ予測モード選択情報あるいは上記第２のイントラ予測モード選択情報のいずれかにもとづいて，当該復号対象ブロックに関する上記イントラ予測モードを選択するイントラ予測モード情報選択部と，
（１Ｇ）選択された上記イントラ予測モードにもとづいて，復号対象ブロックの予測画像を作成する予測画像生成部と，
（１Ｈ）上記
予測画像生成部
（１Ｉ）を備えていることを特徴とする画像復号装置。
【請求項２】
（２Ａ）上記第１のイントラ予測モード選択情報が指定する上記イントラ予測モードは，上記復号対象ブロックの左または上に隣接して位置する復号済ブロックのイントラ予測モードを含むことを特徴とする請求項１に記載の画像復号装置。
【請求項６】
（６Ａ）入力画像を符号化する画像符号化装置であって，
（６Ｂ）符号化対象ブロックに係る予測画像の生成に用いるイントラ予測モードの決定を行う決定部と，
（６Ｃ）複数のイントラ予測モードの候補からなる複数の予測セットから，当該符号化対象ブロックに用いる１つの予測セットを選択する予測セット選択部と，
（６Ｄ）
上記選択された予測セットに含まれる複
（６Ｅ）上記フラグが上記決定部によって決定された上記
選択された予測セットに含まれる
（６Ｆ）上記フラグが上記イントラ予測モードの候補のいずれとも当該符号化対象ブロックのイントラ予測モードが等しくない場合に，上記イントラ予測モードの候補を除く残りのイントラ予測モードから当該符号化対象ブロックの予測に用いるイントラ予測モードを示す第２のイントラ予測モード選択情報と，を生成するイントラ予測モード情報生成部と，
（６Ｇ）イントラ予測モード情報に関する符号化パラメータとして，上記フラグ及び上記第１のイントラ予測モード選択情報または上記フラグ及び上記第２のイントラ予測モード選択情報を符号化する符号化部と，
（６Ｈ）を備えていることを特徴とする画像符号化装置。
【請求項７】
(７Ａ)上記第１のイントラ予測モード選択情報が指定する上記イントラ予測モードは，上記符号化対象ブロックの左または上に隣接して位置する符号化済ブロックのイントラ予測モードを含むことを特徴とする請求項
６
（２）願書に最初に添付した明細書，特許請求の範囲又は図面の記載
　願書に最初に添付した明細書，特許請求の範囲又は図面（以下，当初明細書等という。）の記載であって，平成２７年３月２７日付け意見書及び平成２７年１０月７日付け審判請求書において，上記補正後の請求項１，２，６及び７に係る本件補正の根拠として明記されている段落（段落【０３５６】，【０３７０】，【０３７２】，【０３７４】，【０３９０】−【０４０１】）並びにその関連箇所を摘記すると，以下のとおりである（下線は，説明のために，当審において付したものである。）。
ア　発明が解決しようとする課題ないし目的に関する事項
「【発明の詳細な説明】
【技術分野】
【０００１】
　本発明は，画像を符号化する画像符号化装置，画像符号化方法，プログラム，および記録媒体に関する。また，符号化された画像を復号する画像復号装置，画像復号方法，プログラム，および記録媒体に関する。
（略）
【００５２】
　すなわち，
従来の画像符号化装置では，予測対象画像の模様（エッジ）の方向が予め固定されたモード０〜８の予測方式の予測方向のいずれとも異なる場合には，予測効率が低下する問題を有している。
（略）
【００５８】
  本発明は，上記の各問題点に鑑みてなされたものであり，
その主たる目的は，予測モードに関する符号量を効率的に削減する画像符号化装置，画像復号装置，画像符号化方法，画像復号方法，プログラムおよび記録媒体を提供することである。
イ　実施形態１及び２に関する事項
（ア）　「【発明を実施するための形態】
【０１２１】
　
〔実施形態１〕
　本発明に係る
画像符号化装置
【０１２２】
　（画像符号化装置１００の構成）
　まず，本実施形態に係る画像符号化装置１００の構成について，図１を参照して以下に説明する。図１は，本実施形態に係る画像符号化装置１００の構成を示すブロック図である。画像符号化装置１００は，差分演算部１，直交変換部２，量子化部３，エントロピー符号化部４，逆量子化部６，逆直交変換部７，加算演算部８，メモリ９，イントラ予測部１０，予測モード決定部１１，エッジ解析部１２，予測セット決定部１３，および相対予測セット情報作成部５１を備えている（図１）。（略）
【０１２４】
　（イントラ予測部１０）
　イントラ予測部１０は，メモリ９に記憶された局所復号画像を用いて，
予測セット情報と予測モード情報により表されるイントラ予測を行い，予測画像を生成する。
（略）
【０１２７】
　（予測セット決定部１３）
　
予測セット決定部１３は，
エッジ解析部１２において算出された符号化対象ブロックのエッジ方向およびエッジ強度に基づいて，予め定められた予測セット群の中から符号化対象ブロックに適用する予測セットを決定
【０１２８】
　（相対予測セット情報作成部５１）
　
相対予測セット情報作成部５１は，予測セット決定部１３において決定された符号化対象ブロックに適用する予測セットを表す予測セット情報を，符号化済みの予測セットを表す情報に基づいて予測
（イ）　「【０１２９】
　（画像符号化プロセスの概要）
　画像符号化装置１００における画像符号化プロセスの概要について，図２を参照して以下に説明する。図２は，画像符号化装置１００における画像符号化プロセスの概要を示すフローチャートである。
（略）
【０１３１】
　（予測セットの決定，予測セット情報の符号化）
　
予測セット決定部１３は，ステップＳ３において算出されたエッジ情報に基づいて，符号化対象ブロックに適用する予測セットを決定
相対予測セット情報作成部５１は，予測セット情報を符号化済みの予測セットを表す情報に基づいて予測
【０１３２】
　（予測モードの決定，および予測モード情報の符号化）
　
予測モード決定部１１は，メモリ９から入力された符号化済み隣接サブブロックにおける局所復号画像より，予測セット決定部１３より入力された予測セット情報の表す複数の予測モードから符号化対象サブブロックの予測に用いる予測モードを決定
（ウ）　「【０１７５】
　
以上のように，予測セット０〜３のような異なる特定方向の予測を重視した予測セットを複数予め定めておき，予め定められた予測セットを符号化対象ブロックごとに切り替えることによって，従来の画像符号化装置では対応できない方向の予測を可能としている。
（エ）　「【０１９４】
　（予測セット情報予測部５１２）
　
予測セット情報予測部５１２は，
符号化済み予測セット情報に基づいて符号化対象ブロックに適用する予測セットの予測値を決定
（オ）　「【０２２４】
　
〔実施形態２〕
　本発明に係る
画像復号装置
なお，実施形態１と同様の構成要素については同一の符号を付し，その説明を省略する。
（画像復号装置１５０の構成）
　実施形態２に係る画像復号装置１５０の構成について，図１４を参照して以下に説明する。図１４は，画像復号装置１５０の構成を示すブロック図である。
（略）
【０２２７】
　（予測セット情報作成部５２）
　
予測セット情報作成部５２は，エントロピー復号された相対予測セット情報および復号済み予測セット情報より，注目ブロックの予測セット情報を作成する。
（カ）　「【０２２８】
　（画像復号プロセスの概要）
　次に，画像復号装置１５０における画像復号プロセスの概要について，図１５を参照して以下に説明する。図１５は，画像復号装置１５０における画像復号プロセスの概要を示すフローチャートである。
（略）
【０２３６】
　（予測セット情報作成部５２の詳細）
　次に，予測セット情報作成部５２の詳細について説明する。
【０２３７】　
　
予測セット情報作成部５２は，相対予測セット情報作成部５１の逆処理にあたり，相対予測セット情報および復号済み予測セット情報から予測セット情報を作成する。
（キ）　「【０２４０】
　（予測セット情報の作成プロセスの詳細）
　予測セット情報の作成プロセスの詳細について，図１７を参照して以下に説明する。図１７は，予測セット情報作成部５２における予測セット情報の作成プロセスを示すフローチャートである。
【０２４１】
　
予測セット情報予測部５１２は，予測セット情報格納部５１３で記憶されている復号済み予測セット情報より，復号対象ブロックに適用する予測セットの予測値probable_pred_setを決定し，出力する
なお，復号対象ブロックに適用する予測セットの予測値の決定は，実施形態１の画像符号化装置１００における予測セットの予測値決定方法と同様である
（ク）　「【０２４９】
　また，
画像復号装置１５０では，予測セットと予測モードの２段階で予測することによって，高い予測精度を実現しつつ，符号量の増加を防ぐことが可能である。
ウ　実施形態５及び６に関する事項
（ア）　「【０３５６】
　
〔実施形態５〕
　本発明に係る
画像符号化装置
実施形態５では，実施形態１の機能に加えて，選択した予測セットと，符号化対象サブブロックの予測モードの推定に用いる符号化済み隣接サブブロックの方向を表すフラグと，符号化対象サブブロックの位置に基づいて，符号化対象ブロック中の各サブブロックに用いる予測モードを推定することで，予測モードを表すのに要する符号量を効率的に削減し，さらに符号化効率を上げることが可能な画像符号化装置について説明する。
（略）
【０３６５】
　（相対予測モード情報作成部６１）
　相対予測モード情報作成部６１は，符号化パラメータ決定部１４より入力された
予測セット情報，予測モード情報および参照方向組合せインデクスと
当該サブブロックに隣接する符号化済みサブブロックの予測セット情報および予測モード情報とに基づいて，当該サブブロックの相対予測モード情報を作成
（略）
【０３７０】
　（予測モード情報推定部６１３）
　予測モード情報推定部６１３は，入力された
予測セット情報，
参照方向，
符号化済み隣接サブブロックの予測モード情報および予測セット情報に基づいて，当該サブブロックに用いる予測モード情報の推定値を所定の方法で決定する。
【０３７１】
　（相対予測モード情報生成部６１４）
　相対予測モード情報生成部６１４は，入力された
予測モード情報と，予測モード情報推定部６１３において決定された予測モード情報の推定値probable_modeと，に基づいて，推定値に対する予測モードの相対情報（相対予測モード情報）を生成する。
【０３７２】
　ここで，
相対予測モード情報relative_mode_data( )のデータ構造を表１８に示す。表１８におけるrelative_mode_data( )中のprobable_mode_flagは，当該サブブロックに適用する予測モードが予測モード情報推定部６１３で決定された推定値と一致するか否かを表すフラグである。probable_mode_flagの値が「１」の場合は，推定値と一致することを表し，probable_mode_flagの値が「０」の場合は，推定値と異なることを表す。なお，probable_mode_flagの値が「０」の場合は，さらに推定値を除く残りの予測モードのいずれかを表す情報であるrem_modeを用いて相対予測モード情報を表す。
（イ）　「【０３７４】
　（画像符号化プロセスの概要）
　画像符号化装置５００における画像符号化プロセスの概要について，図３２を参照して以下に説明する。図３２は，画像符号化装置５００における画像符号化プロセスの概要を示すフローチャートである。
（略）
【０３７９】
　相対予測モード情報作成部６１は，符号化パラメータ決定部１４より入力した
予測セット情報，参照方向組合せインデクスおよび符号化対象サブブロックの予測モード情報と，参照サブブロックの予測セット情報および予測モード情報とに基づいて，符号化対象サブブロックの相対予測モード情報を作成
（ウ）　「【０３８９】
　（参照方向の決定方法）
　次に，参照方向の決定方法について説明する。初めに，サブブロックグループ，参照方向，参照方向組合せインデクス，参照方向組合せテーブルについて説明する。
【０３９０】
　サブブロックグループについて図３３の（ａ）および（ｂ）を参照して説明する。図３３の（ａ）および（ｂ）は，サブブロックグループを説明する図であり，（ａ）は対象ブロックおよびサブブロックのサイズＭ，ＮがＮ＝Ｍ／４である場合のサブブロックグループであり，（ｂ）は，対象ブロックおよびサブブロックのサイズＭ，ＮがＮ＝Ｍ／２である場合のサブブロックグループである。
【０３９１】
　図３３の（ａ）のサブブロックグループＢ１は，４つのサブブロックａ，ｂ，ｃ，ｄからなる集合である。同様に，サブブロックグループＢ２は，４つのサブブロックｅ，ｆ，ｇ，ｈからなる集合であり，サブブロックグループＢ３は，４つのサブブロックｉ，ｊ，ｋ，ｌからなる集合であり，サブブロックグループＢ４は，４つのサブブロックｍ，ｎ，ｏ，ｐからなる集合である。また図３３の（ｂ）のサブブロックグループＢ１はサブブロックａ〜ｄからなる集合である。なお，サブブロックグループのサブブロック同士の組合せはこれに限定されるものではない。
　
「参照方向」とは，サブブロックグループ内に含まれる各サブブロックの予測モードを推定する時に参照する共通の符号化済みサブブロックの相対位置（参照サブブロック位置）である。例えば，参照方向「０」は，参照サブブロックが当該サブブロックの左部の符号化済みサブブロックであることを表す。また，参照方向「１」は，参照サブブロックが当該サブブロックの上部の符号化済みサブブロックを表す。
（略）
【０３９３】
　
「参照方向組合せインデクス」とは，サブブロックグループＢ１〜Ｂ４の参照方向の組合せに対して付加したインデクスである。
【０３９４】
　
「参照方向組合せテーブル」とは，参照方向組合せインデクスとサブブロックグループの参照方向との対応関係を予め定めた表である。
【０３９５】
　（１）サブブロックのサイズがＮ＝Ｍ／４のとき；
　
表２０は，サブブロックのサイズがＮ＝Ｍ／４のときに用いる参照方向組合せテーブルの例である。表２０中の予測セットフラグは，「０」のとき予測セット情報が水平方向の予測を重視した予測セットを表し，「１」のとき垂直方向の予測を重視した予測セットを表す。また，図３４は，表２０において予測セットフラグ「０」，参照方向組合せインデクス「２」である場合の参照サブブロックの方向を示したものである。
（略）
【０３９７】
　（２）サブブロックのサイズがＮ＝Ｍ／２のとき；
　サブブロックのサイズがＮ＝Ｍ／２のときは，予測セット情報によらず，表２１に示す参照方向組合せテーブルを用いる。
（略）
【０３９９】
　以上説明したように，参照方向決定部６１２は，当該サブブロックのサイズがＮ＝Ｍ／４であるときは，入力された
予測セット情報，参照方向組合せインデクスおよび当該サブブロックの位置
に基づいて，
参照方向を取得
【０４００】
　また，当該サブブロックのサイズがＮ＝Ｍ／２であるときは，入力された参照方向組合せインデクスに基づいて，表２１よりサブブロックグループＢ１の参照方向を取得し，取得した参照方向を出力する。
【０４０１】
　（予測モード情報の推定値の決定方法）
　続いて，予測モード情報推定部６１３における
予測モード情報の推定値の決定方法について説明する。
【０４０２】
　まず，予測モード情報推定部６１３は，
参照方向に基づいて，参照サブブロックＱの予測モード情報および予測セット情報を，それぞれ格納部６１１ａ，格納部６１１ｂより取得する。
【０４０３】
　
次に，符号化対象サブブロックＰと参照サブブロックＱの予測セットに応じて，以下の２種類の方法によって予測モードの推定を行う。
【０４０４】
　
（１）符号化対象サブブロックＰと参照サブブロックＱの予測セットが同じ場合
予測モードの推定値を参照サブブロックＱの予測モードの値とする。
【０４０５】
　
（２）符号化対象サブブロックＰと参照サブブロックＱの予測セットが異なる場合
後述の予測モード対応表を参照して，参照サブブロックＱの予測モードが符号化対象サブブロックＰの予測セット中のいずれの予測モードと対応するかを求める。そして，対応する予測モードを符号化対象サブブロックＰの予測モードに対する推定値とする。
（エ）　「【０４３４】
　（作用効果）
　以上のように，画像符号化装置５００は，画像を構成する各ブロック単位に，当該ブロックに用いる予測セットと，当該ブロック中の所定数のサブブロックで構成されるサブブロックグループで予測モードの推定に共通に用いる符号化済み隣接サブブロックの参照方向と，当該ブロック中の全予測モードを符号化コストに基づいて決定する。また画像符号化装置５００は，さらに前記ブロックを構成する各サブブロック単位に，
前記決定した予測セットと，前記決定した参照方向と，当該サブブロックに隣接する符号化済みサブロックにおける予測セットと予測モードと，当該サブブロックの位置に基づいて，当該サブブロックの予測モードを推定して符号化する。したがって，画像符号化装置５００は，当該サブブロックの予測モードの推定に用いる参照サブブロックを選択することが可能となるため，予測モードの推定精度が高まり，予測モードを表すのに要する符号量を効率的に削減し，さらに符号化効率を上げることができる。また，画像符号化装置５００は，当該サブブロックの予測セットと，予測モードの推定に用いる参照サブブロックの予測セットが異なる場合，上記予測モード対応表を利用することで，参照サブブロックの予測モードを当該サブブロックの予測セット中の最も類似する予測モードへ変換するため，当該サブブロックの予測モードの推定精度を向上させ，予測モードを表すのに要する符号量を効率的に削減し，さらに符号化効率を上げることができる。
（オ）　「【０４３５】
　
〔実施形態６〕
　本発明に係る
画像復号装置
【０４３６】
　（画像復号装置５５０の構成）
　実施形態６に係る画像復号装置５５０の構成について，図３８を参照して以下に説明する。図３８は，画像復号装置５５０の構成を示すブロック図である。
（略）
【０４４０】
　（予測モード情報作成部６２）
　
予測モード情報作成部６２は，相対予測モード情報作成部６１の逆処理を実行するもの
予測セット情報作成部５２において復元された予測セット情報と，エントロピー復号された相対予測モード情報および参照方向組合せインデクスと，隣接サブブロックの復号済み予測セット情報および復号済み予測モード情報とから，当該サブブロックの予測モード情報を作成
（略）
【０４４４】
　（予測モード情報推定部６２３）
  
予測モード情報推定部６２３は，入力された予測セット情報と，参照方向決定部６２２において決定された参照方向，格納部６２１ａ，６２１ｂに格納された復号済み隣接サブブロックの予測モード情報および予測セット情報に基づいて，当該サブブロックに用いる予測モード情報の推定値を所定の方法で決定する。
予測モード情報の推定値の決定方法は，実施形態５における予測モード情報推定部６１３と同じである
【０４４５】
　（予測モード情報生成部６２４）
　
予測モード情報生成部６２４は，相対予測モード生成部６１４の逆処理を実行するもの
入力された相対予測モード情報と，予測モード情報推定部６２３において決定された予測モード情報との推定値probable_modeに基づいて，当該サブブロックに用いる予測モード情報を生成する。
（カ）　「【０４４７】
　画像復号装置５５０における画像復号プロセスの概要について，図４０を参照して以下に説明する。図４０は，画像復号装置５５０における画像復号プロセスの概要を示すフローチャートである。
（略）
【０４５２】
　予測モード情報作成部６２は，
入力された予測セット情報，参照方向組合せインデクス，および当該サブブロックにおける相対予測モード情報
当該サブブロックに隣接する復号済みサブブロックの予測セット情報および予測モード情報に基づいて
当該サブブロックの予測モード情報を作成
（キ）　「【０４６６】
　（作用効果）
　以上のように，画像復号装置５５０は，互いに異なる予測方向に応じた予測モードを複数含む予測セットであって，当該予測モードの組み合わせが互いに異なる予測セットが複数集まった予測セット群を備えている。画像復号装置５５０は，画像を構成する各ブロックにおいて，復号対象ブロックに用いる予測セット情報を，相対予測セット情報と復号済み予測セット情報を用いて復号する。次に，当該ブロック中の全サブブロックの予測モードの推定に用いる参照方向の組合せを表す参照方向組合せインデクスを復号する。そして，画像復号装置５５０は，前記ブロックをさらに分割したサブブロック単位に，
前記復号した予測セット情報と，前記復号した参照方向組合せインデクスと，当該サブブロックに隣接する復号済みサブブロックの予測セット情報と予測モード情報から当該サブブロックの予測モードを推定し，前記推定値と相対予測モード情報に基づいて，予測モード情報を復号する。
また，画像復号装置５５０は，当該サブブロックの予測セットと，予測モードの推定に用いる参照サブブロックの予測セットが異なる場合，上記予測モード対応表を利用することで，参照サブブロックの予測モードを当該サブブロックの予測セット中の最も類似する予測モードへ変換するため，当該サブブロックの予測モードの推定精度を向上させ，予測モードを復号するのに要する符号量をさらに効率的に削減することが可能である。
（３）当初明細書等に記載された事項
　上記（２）の記載（特に，下線箇所）等の記載や図面を総合すると，当初明細書等には，以下のａ．ないしｌ．の技術的事項が記載されているものといえる。
＜発明が解決使用とする課題ないし目的について＞
ａ．　本願発明が，イントラ予測を行い予測画像を生成する画像符号化装置（上記（２）イ（ア））等において，予測モードに関する符号量を効率的に削減することを主たる目的としていること（上記（２）ア）。
＜実施形態１について＞
ｂ．　異なる特定方向の予測を重視した予測セットを，複数あらかじめ定めておき，予測セットを符号化対象ブロックごとに切り替えることで，従来の画像符号化装置では対応できない方向の予測を可能とすること（上記（２）イ（ウ））。
ｃ．　画像のエッジ情報に基づいて，符号化対象ブロックに適用する予測セットを決定すること（上記（２）イ（ア）及び（イ））。
ｄ．　符号化対象ブロックに適用する予測セットを，符号化済みの予測セットを表す情報に基づいて，予測すること（上記（２）イ（ア）及び（イ）並びに（エ））。
ｅ．　予測セット情報の表す複数の予測モードから，符号化対象サブブロックの予測に用いる予測モードを決定すること（上記（２）イ（イ））。
＜実施形態５について＞
ｆ．　以下のｇ．及びｈ．を行い，符号化対象サブブロック中の各サブブロックの予測モードを推定すること（上記（２）ウ（ア）及び（イ））。
ｇ．　予測セット情報，参照方向（各サブブロックの予測モードを推定するときに参照する，符号化済みサブブロックの相対位置），並びに参照サブブロック（符号化済み隣接サブブロック）の予測モード情報及び予測セット情報に基づいて，当該サブブロックに用いる予測モード情報の推定値を決定すること（上記（２）ウ（ア）ないし（ウ））。
ｈ．　予測モード情報と，予測モード情報の推定値とに基づいて，推定値に対する予測モードの相対情報である，相対予測モード情報を生成すること（上記（２）ウ（ア）及び（イ））。
ｉ．　前記相対予測モード情報におけるｐｒｏｂａｂｌｅ＿ｍｏｄｅ＿ｆｌａｇというフラグにより，当該サブブロックに適用する予測モードが推定値と一致するか否かを表すこと（上記（２）ウ（ア））。
ｊ．　前記参照方向が，予測セット情報，参照方向組合せインデクス，及び当該サブブロックの位置に基づいて取得されること（上記（２）ウ（ウ））。
ｋ．　前記参照方向に基づいて，参照サブブロックＱの予測モード情報及び予測セット情報を取得し，符号化対象サブブロックＰと参照サブブロックＱの予測セットに応じて，次の（ａ），（ｂ）の方法で，前記予測モード情報の推定値を決定すること（上記（２）ウ（ウ））。
（ａ）符号化対象サブブロックＰと参照サブブロックＱの予測セットが同じ場合；
　参照サブブロックＱの予測モードを，符号化対象サブブロックＰの予測モード情報の推定値とする。
（ｂ）符号化対象サブブロックＰと参照サブブロックＱの予測セットが異なる場合；
　予測モード対応表を参照して，参照サブブロックＱの予測モードが符号化対象サブブロックＰの予測セット中のいずれの予測モードと対応するかを求める。
　そして，対応する予測モードを，符号化対象サブブロックＰの予測モード情報の推定値とする。
＜実施形態２及び６について＞
ｌ．　以上のａ．ないしｋ．に対応する復号装置側の技術事項（上記（２）イ（オ）ないし（ク），及び上記（２）ウ（オ）ないし（キ））。
（４）本件補正が当初明細書等に記載した事項の範囲内においてしたものといえるか否かについての判断
　本願の発明の詳細な説明は，符号化装置についての実施態様を述べた上で，対応する復号化装置についての実施態様について，上記（２）イ（ク）及び（シ）並びに（２）ウ（ク）に示されているように，符号化装置の説明で援用できる部分についての説明を省略するという記述の仕方をしているので，このことを考慮し，本件補正後の請求項１，２，６，７のうち，符号化装置の発明に係る請求項６，７について，先に検討する。
ア　請求項６の「画像符号化装置」（段落（６Ｈ））における，「イントラ予測モード情報生成部」（段落（６Ｆ））が生成する，段落（６Ｄ）の「フラグ」について（上記３に示した原査定の理由（１）（Ａ）に関して）
　本件補正により，段落（６Ｃ）及び（６Ｄ）において，「複数のイントラ予測モードの候補からなる複数の予測セットから，当該符号化対象ブロックに用いる１つの予測セットを選択」し，当該「フラグ」が，「上記選択された予測セットに含まれる複数のイントラ予測モードの候補のいずれかと，決定された当該符号化対象ブロックのイントラ予測モードとが等しいか否かを示す」ものである，という事項（以下「事項１」という。）が特定されることとなった。
（ア）　事項１が当初明細書等に明示的に記載されているか否か
　「決定された当該符号化対象ブロックのイントラ予測モード」と，所定の比較対象とを比較し，「等しいか否かを示す」フラグについては，上記（３）のｉ．に示すように，ｐｒｏｂａｂｌｅ＿ｍｏｄｅ＿ｆｌａｇというフラグが当初明細書等に記載されている。
　ここで，このｐｒｏｂａｂｌｅ＿ｍｏｄｅ＿ｆｌａｇというフラグにおける，「決定された当該符号化対象ブロックのイントラ予測モード」と比較する，前記所定の比較対象は，推定値である。
　そして，当該推定値については，上記（３）のｇ．に示すように，以下の四つの各情報に基づいて決定される。
（ｉ）予測セット情報
（ｉｉ）参照方向
（ｉｉｉ）参照サブブロックの予測モード情報
（ｉｖ）参照サブブロックの予測セット情報
　これら四つの各情報から，当該推定値は，次のように決定される。
　まず，『（ｉ）予測セット情報』から，『（ｉｉ）参照方向』が取得される（上記（３）のｊ．）。
　次いで，『（ｉｉ）参照方向』の示す位置にあるサブブロックを参照サブブロックとして（上記（３）のｇ．），『（ｉｖ）参照サブブロックの予測セット』と，符号化対象サブブロックの予測セットとが一致するのか否かについて判断される（上記（３）のｋ．）。
　そして，一致するならば，『（ｉｉｉ）参照サブブロックの予測モード情報』が，推定値とされ，一致しないならば，対応表において，『（ｉｉｉ）参照サブブロックの予測モード情報』に対応する予測モード情報が，推定値とされる（上記（３）のｋ．）。
　したがって，事項１の「決定された当該符号化対象ブロックのイントラ予測モード」と，所定の比較対象とを比較し，「等しいか否かを示す」フラグに関し，前記所定の比較対象が，
参照サブブロックの予測モード（あるいは，それに対応する予測モード）
　しかしながら，事項１における，「決定された当該符号化対象ブロックのイントラ予測モード」と比較する対象が，「
当該符号化対象ブロックに用いる１つの予測セット」に「含まれる複数のイントラ予測モードの候補のいずれか」
（イ）　事項１が新たな技術的事項を導入するものであるか否か
　「当該符号化対象ブロックに
用いる
当該符号化対象ブロック
参照サブブロック
ａ　上記（ｉ）の場合
　この場合には，上記（３）のｅ．に示されているように，当該符号化対象ブロックのイントラ予測モードは，この予測セットに含まれる複数の予測モードの候補（例えば，図６の「予測セット０」の「０」ないし「８」の予測モード）の中から選択されることになる。
　そうすると，決定された，当該符号化対象ブロックのイントラ予測モード（例えば，図６の「予測セット０」の「０」ないし「８」の予測モードの中から選択された予測モード）と，比較対象である，この予測セットに含まれる複数のイントラ予測モードの候補のいずれか（例えば，図６の「予測セット０」の「０」ないし「８」の予測モードのいずれか）とは，前者が後者から選択されるのであるから，必然的に一致することになる。
　このように，「決定された当該符号化対象ブロックのイントラ予測モード」と比較する対象を，必然的に一致するものとすることは，上記（３）のａ．に示した本願発明の目的からして技術的意義を理解することができないものであり，このような技術内容が当初明細書等に開示されていると当業者が認識するものとは認められない。
　よって，この場合についてみると，事項１は，当初明細書等から自明であるとはいえず，新たな技術的事項を導入するものであるといわざるを得ない。
　そこで，上記（ｉｉ）の場合について，以下検討する。
ｂ　上記（ｉｉ）の場合
　
　この場合には，参照サブブロックの予測モードではなく，参照サブブロックの予測セットに含まれる複数の予測セットに含まれる複数の予測モードの候補のいずれか（例えば，図６の「予測セット１」の「０」ないし「８」のいずれか）と，符号化対象ブロックのイントラ予測モード（例えば，図６の「予測セット０」の「０」ないし「８」の予測モードの中から選択された予測モード）とが一致するか否かを判断することになる。
　しかしながら，参照サブブロックの予測モードが，選択され，一つに決定されるにもかかわらず，「決定された当該符号化対象ブロックのイントラ予測モード」と比較する対象を，参照サブブロックの予測モードの選択に用いる，複数の候補のいずれかとすることは，出願時の技術常識を踏まえてみても，当初明細書等に開示されているものと当業者が理解するということはできない。
　したがって，この場合についてみても，事項１は，当初明細書等から自明であるとはいえず，新たな技術的事項を導入するものであるといわざるを得ない。
ｃ　よって，想定され得るいずれの場合においても，事項１は，当初明細書等から自明であるとはいえず，新たな技術的事項を導入するものであるといわざるを得ない。
（ウ）小括
　以上の検討によれば，事項１は，当初明細書等に明示的に記載されたものでないのみならず，当初明細書等に記載した事項との関係において，新たな技術的事項を導入するものであるから，本件補正は，当初明細書等に記載した事項の範囲内においてしたものということができない。
イ　請求項６の段落（６Ｅ）及び段落（６Ｆ）について（上記３に示した原査定の理由（１）（Ｂ）に関して）
　請求項６の段落（６Ｅ）は，「上記フラグが上記決定部によって決定された
上記選択された予測セットに含まれるイントラ予測モードの候補のいずれかと
等しい場合
上記イントラ予測モードの候補のいずれとも
等しくない場合
　そうすると，請求項６の段落（６Ｅ）及び段落（６Ｆ）に記載された事項（以下「事項２」という。）は，上記アの事項１を前提にしているといえる。
　したがって，上記アの判断を踏まえると，事項２も，当初明細書等に明示的に記載されたものでないのみならず，当初明細書等に記載した事項との関係において，新たな技術的事項を導入するものであるから，本件補正は，当初明細書等に記載した事項の範囲内においてしたものということができない。
ウ　請求項７の段落（７Ａ）について（上記３に示した原査定の理由（２）に関して）
　請求項７の段落（７Ａ）は，「上記第１のイントラ予測モード選択情報が指定する上記イントラ予測モード」を特定するものである。
　そうすると，請求項７の段落（７Ａ）は，上記イの事項２を前提にしているといえる。
　したがって，上記アの判断を踏まえると，請求項７の段落（７Ａ）に記載された事項も，当初明細書等に明示的に記載されたものでないのみならず，当初明細書等に記載した事項との関係において，新たな技術的事項を導入するものであるから，本件補正は，当初明細書等に記載した事項の範囲内においてしたものということができない。
エ　請求項１，２について
　本件補正により，請求項１では，段落（１Ｂ）及び段落（１Ｃ）において，上記アと同様の事項が特定され，また，段落（１Ｄ）及び段落（１Ｅ）において，上記イと同様の事項が特定されることとなった。また，請求項２においては，段落（２Ａ）において，上記ウと同様の事項が特定されることとなった。
　したがって，上記アないしウの判断を踏まえると，請求項１，２についてみても，本件補正は，当初明細書等に記載した事項の範囲内においてしたものということができない。
５　むすび
　以上のとおり，本件補正は，当初明細書等に記載した事項の範囲内においてしたものということができないから，特許法第１７条の２第３項に規定する要件を満たしていない。
　したがって，本願は，同法第４９条第１号に該当し，同条柱書きの規定により拒絶されるべきものである。
　よって，結論のとおり審決する。